(57)【要約】      （修正有）【課題】ある程度の熱の伝導性を確保しつつ、冷凍または加温されたペットボトルを収納具内に収納した場合であってもその冷気や熱を緩和して、涼を得たり、暖をとることができる収納具を提供する。【解決手段】ペットボトル類の飲用容器を収納する収納具１０であって、収納具は、胴部１１と胴部の上部に開口端部１２を有し胴部の下部が閉塞され、当該収納具は袋状を呈し、かつ、開口端部および胴部が伸縮性を有し、飲用容器を収納具に収納したときに収納具はその飲用容器の外形に倣うことを特徴とする。【選択図】図１
0003183491.tif 000002
【実用新案登録請求の範囲】
【請求項１】
ペットボトル類の飲用容器を収納する収納具であって、前記収納具は、胴部と胴部の上部に開口端部を有し前記胴部の下部が閉塞され、当該収納具は袋状を呈し、かつ、前記開口端部および胴部が伸縮性を有し、飲用容器を前記収納具に収納したときに当該収納具はその引用容器の外形に倣うことを特徴とする収納具。
【請求項２】
収納具における開口端部および胴部が、布類あるいは編み立てたもので構成されていることを特徴と請求項１記載の収納具。
【請求項３】
胴部の下部を先がかりすることによって形成される閉塞部によって閉塞されていることを特徴とする請求項１〜３のいずれか１項に記載の収納具。
【請求項４】
開口端部をリブ編みとし、胴部よりも伸縮力を大にしたことを特徴とする請求項１〜４のいずれか１項に記載の収納具。
【考案の詳細な説明】
【技術分野】
【０００１】
本考案は、飲用容器の収納具に関するものである。
【背景技術】
【０００２】
最近では様々な飲用物が、ポリエチレンテレフタラートを材料とするいわゆるペットボトルと呼ばれる飲用容器に入れて販売されている。また、ペットボトル類のような飲用容器は、季節やその中身によって暖めたり、冷やしたりあるいは凍らせたりと云った状態で販売されている。すなわち、中身である飲用物が、例えばコーヒー類あるいはお茶類の場合に、冬場であれば温めた状態で販売することができるので、顧客に対して温もりを提供することができる。また、夏場であれば、清涼飲料水等の場合に冷やしたり予め飲用容器ごと凍らせた状態で販売することで顧客に、冷涼感を与えることができる。
【０００３】
このペットボトル類は、内容物を飲み終われば廃棄されるいわゆる使い捨てを想定したものである。しかしながら、ペットボトル類は、ねじ込み式の蓋が付されているために、内容物をほぼ密閉した状態で携帯することができるため水筒の代わりとして用いられる場合がある。すなわち、一度で飲みきれない場合のみならず、一度使用した空のペットボトルにお茶等の内容物を入れて携帯することができる。この場合であっても、夏場であればあらかじめそのペットボトルごと冷凍した状態にし、それを体に接触させるなどして涼を得ることや、冬場であればあらかじめ、そのペットボトルを加温した状態にし、手を温めたり、暖を取ることができることは云うまでもない。
【０００４】
しかしながら、水筒の代わりにペットボトルを使用する場合においても、また、飲用物の販売に際しても、予めペットボトルごと加温したり、あるいは冷やしたり、時にはペットボトルごと凍らせている場合において、飲用容器のままでは、使用者は加温されている状態であれば熱すぎて持てない場合もあり、また、冷凍している状態であれば冷たすぎて持てないということも起こりうる。
【０００５】
ここで、特許文献１において、アルミシートやウレタンシートなど断熱効果を有するシートを２枚重ね合わせ、または１枚のシートを二つ折りにして、肩部分と側面部分を接合するだけの底面の無いペットボトルカバーの発明が記載されている。この発明に係るペットボトルカバーすなわち収納具は、アルミシートやウレタンシートからなるものであってそれらは断熱性を有するものである。従ってこの収納具に、冷凍され、または加温された飲用容器を収納すれば、冷たくて持てなくなったり、熱くて持てないといったこともない。しかし、それらのシートは、ペットボトルに生じた結露を吸収しにくく、収納具に入れたペットボトルを鞄内に携帯した場合に、そのペットボトルに生じた結露がこぼれて鞄内をぬらしてしまう恐れがある。また結露によって、使用者の持ち手が濡れることによって不快感を生じさせる場合がある。
【０００６】
また、上記収納具は断熱性に優れているがゆえに、ペットボトルをお茶やコーヒーなどの内容物を凍らせたり、あるいは加温させたりした場合にあって、飲用文献１に係る上記収納具に、これらのようなペットボトルを収納した場合であっても、必ずしも満足に涼を得たり暖を得たりすることはできない。また、底面が無いものであるので、不用意にカバーを持った場合に、つかみそこねて当該カバーのみが手元に残りペットボトルのみを落下させる恐れがあり極めて持ちにくい。特に子供であればなおさらである。また、中身の飲料が加熱されていたものであれば、中身が飲用容器の落下に伴って飛び散る場合がありやけどしてしまう恐れがある。
【０００７】
また、中の飲用物がなくなった場合に、ペットボトルは廃棄するが、収納具は廃棄せずに鞄等に入れ持ち帰る場合がある。このときに、この従来の収納具は小さく折り畳むことができず嵩張るという問題があった。さらに、従来の収納具は、飲用容器を覆うものであるが、ペットボトルの形状は種々存在するために、それらの形状のすべてに対応する必要から、ペットボトルの最大径よりも大きめにしなければならない。従って、ペットボトルの形状が例えば、絞り込まれた形状の場合には、必ずしもその形状に適合したものとは云えず、ペットボトルなどの飲用容器を収納した収納具ごと持ち上げようとする場合に手にあまり、持ちにくいものとなっている。
【０００８】
【特許文献１】特開２００６−３１５７５８号公報
【考案の開示】
【考案が解決しようとする課題】
【０００９】
本考案は前記の点に着目してなされたもので、ある程度の熱の伝導性を確保しつつ、冷凍または加温されたペットボトルを収納具内に収納した場合であっても、その冷気や熱を緩和して、涼を得たり、暖をとることができる収納具を提供することである。また、飲用容器に生じた結露を吸収し、収納具に入れた飲用容器を鞄内に携帯した場合に、その飲用容器に生じた結露がこぼれて鞄内をぬらすことを防ぐことにある。また結露によって、使用者の持ち手が濡れることによる不快感を解消することである。また、さまざまなペットボトルの形状に適合させる収納具を提供することにある。また、子供でも持ちやすくして飲用容器の落下の恐れを防ぐことにある。さらに不使用時には嵩張らない収納具を提供することである。
【課題を解決するための手段】
【００１０】
前記の課題を解決するため、本考案は、ペットボトル類の飲用容器を収納する収納具であって、前記収納具は、胴部と胴部の上部に開口端部を有し前記胴部の下部が閉塞され、当該収納具は袋状を呈し、かつ、前記開口端部および胴部が伸縮性を有し、飲用容器を前記収納具に収納したときに当該収納具はその飲用容器の外形に倣うことを特徴とするものである。このように本考案に係る収納具は、伸縮性を有するもので構成されているために当該収納具に飲用容器を入れた場合に、さまざまな形状の飲用容器に適合することができる。すなわち、飲用容器の外形に倣うので、その飲用容器の形状にフィットし、持ちにくいといった不具合を解消することができる。従って、使用者が子供の場合に、その子供の手に余るといったこともない。ここで、飲用容器の外形に倣うとは、飲用容器であるペットボトルの外形に完全にフィットする、すなわち寸分の隙間もなくという意味ではなく、多少の隙間を許容する趣旨である。
【００１１】
また、本考案は、収納具における開口端部および胴部が、布類あるいは編み立てたもので構成されていることを特徴とするものである。この布類あるいは編み立てたものは伸縮性を有するために上記のとおりペットボトルにフィットするだけでなく、断熱性をそれほど有しないものの熱の伝導性もそれほど高くはないので、飲用容器を凍らせた場合であっても、収納具に当該飲用容器を入れれば冷たすぎることはなく使用者は適度な涼を得ることができる。また、ペットボトルを加温した場合であっても、同様である。しかも、例えば、ペットボトルを冷凍した場合おいては、当該ペットボトルが解凍されるに従い結露が生じる場合もあるが、収納具の開口端部および胴部が、布類あるいは、編み立てたもので構成されているためにペットボトルに生じた結露を吸収し、収納具に入れた飲用容器を鞄内に携帯した場合に、その飲用容器に生じた結露がこぼれて鞄内をぬらすことを防ぐことができる。またその結露によって、使用者の持ち手が濡れることによる不快感を解消することができる。また、仮に鞄等に収納した場合にあっても鞄内を結露で濡らすことがないというものである。また、不使用時には小さく折り畳むことができるので、嵩張ることが無いものである。尚、上記の通り熱の伝導性はそれほど高くはないので、ある程度の保温性を確保することができることは云うまでもない。
【００１２】
また本考案は、胴部の下部を先かがりすることによって形成される閉塞部によって閉塞されていることを特徴とするものである。このように胴部の下部を先かがりすることによって閉塞することで、靴下を製作する工程とほぼ同様の工程で製造することができるため比較的安価にかつ大量に生産することができる。
【００１３】
また本考案は、開口端部をリブ編みとし、胴部よりも伸縮力を大にしたことを特徴とするものである。開口端部は胴部より伸縮性の高いリブ編みにすることによって、ペットボトル類の飲用容器の飲み口付近の形状に倣うことができるため、飲用容器の大部分を当該収納具で覆うことができ、フィットすることができるので、比較的保温性を確保することができる。また開口端部の伸縮力の方が胴部の伸縮力よりも大なるものであるため開口端部から飲用容器が、飛び出しにくいものである。
【００１４】
本考案は以上のように構成されかつ作用するものであるから、ペットボトルを凍らせたりあるいは加温した場合に涼を得たり暖を得たりすることができる。また、ペットボトルに生じた結露を吸収し、収納具に入れた飲用容器を鞄内に携帯した場合に、その飲用容器に生じた結露がこぼれて鞄内をぬらすことを防ぐことができる。またその結露によって、使用者の持ち手が濡れることによる不快感を解消することができる。また、中の飲用物がなくなった場合に当該収納具を嵩張らず小さく折り畳むことができる。また、収納具に飲用容器を入れた場合に、その飲用容器の形状に倣うため、従来のペットボトルカバーに比べて極めて持ちやすいものとなる。従って特に子供の手に余るといったことも少ない。
【考案を実施するための最良の形態】
【００１５】
以下図示の実施形態を参照して本発明をより詳細に説明する。図１Ａは、飲用容器を入れていない状態の収納具の正面図である。ＢはＡにおけるＡ−Ａ線断面図である。Ｃは、飲用容器を入れていない状態の収納具の平面図である。Ｄは、飲用容器を入れていない状態の収納具の底面図である。図２Ａは、飲用容器を入れた状態の収納具の正面図である。Ｂは、飲用容器を入れた状態の収納具の底面図である。
【００１６】
本実施例の収納具１０は、胴部１１の上部に開口端部１２を有するものである。当該開口端部１２は、文字通り、胴部の上部における端部に開口を有する構成であり開口部１３を囲んだ形状を呈している。従って、開口部１３を開くとほぼ環状を呈するものである。また、その開口端部１２から下方に前記胴部１１が接続されその胴部１１の下端部１１ａは閉塞されている。従って、当該収納具１０はほぼ袋状を呈し、その中に飲用容器を入れて携帯することができる。また、本実施例における開口端部１２は、およそ２〜３センチ程度折り返して、２重にした状態で縫着されているが、後述するように靴下を製造する工程で製作されているので、１重のまま後述する伸縮性を有する編成であっても好ましい。
【００１７】
また、上記のとおり開口端部１２のみならず胴部１１も伸縮可能に編み立てた構成である。従って、飲用容器であるペットボトルｐを入れていない状態の収納具１０は、ペットボトルｐの形状よりも小さく伸縮している。よって、このような収納具１０にペットボトルｐを収納すれば、収納具１０が、ペットボトルｐの侵入に従って開口端部１２のみならず胴部１１も次第に拡大され、ペットボトルｐが収納具１０に収納され、当該収納具１０とペットボトルｐはフィットする。すなわち収納具１０は、ほぼペットボトルｐの形状に倣うことになる。もっとも収納具１０は、ほぼペットボトルｐの形状に倣うと云っても、収納具１０とペットボトルｐが完全に密着するということではなく、それらの間に隙間ｓが生じていても差し支えない。ペットボトルｐを収納した収納具１０の外側からペットボトルｐごと掴み、それを持ち上げることができれば特に支障はないからである。
【００１８】
また、収納具１０は、胴部１１とその上部の開口端部１２は、編み立てて形成されており、開口端部１２は胴部１１よりも伸縮力を大きくすることができる。従って、飲用容器であるペットボトルｐの上部ｐ１は、その胴部ｐ２よりも細くなっているが、その細いペットボトルｐの上部ｐ１の形状に倣い当該収納具１０はペットボトルｐの形状にフィットすることができる。もっともフィットすると云っても多少の隙間ｓを許容することは云うまでもない。尚、開口端部１２の伸縮力を胴部１１の伸縮力よりも大としても、ペットボトルｐの出し入れに支障が生じるほどではないが、比較的ペットボトルｐが収納具１０から脱出しにくくなる。また、開口端部１２は伸縮力が比較的大きいリブ編みにするのが好ましい。胴部１１についても平織りでも好ましいがリブ編みでも好ましい。もっとも、胴部１１および開口端部１２をそれぞれ、伸縮性を有する布類にすることを妨げる趣旨ではない。また、布類とした場合にそれをフリース素材とすることも好ましい。
【００１９】
上記のとおり、収納具１０は、編み立てて形成することができるので、靴下を製造する工程と同一の工程で製作することができる。すなわち、靴下では平編み、メッシュ編み、パイル編み、あぜ編み又はこれら組合せによって編成することができ、これらは適度な伸縮性を有するために、収納具１０を靴下の製造工程と同様に構成すれば、ペットボトルｐを収納具１０に入れた場合に、当該収納具１０が拡大し、前記ペットボトルｐの外形に倣いうことができる。また、開口端部１２においても例えばナイロン巻きポリウレタン糸を編み込むことにより適度な伸縮性を与えることができる。また開口端部１２は、胴部１１の上端を折り返し、ゴム状の繊維を編み込んで構成されている。また、開口端部１２をリブ編みにして伸縮力を付与しても好ましい。さらに、開口端部１２のみならず胴部１１においてもリブ編みにしたり、あるいはゴム糸を編み込み、ゴム糸の大きな伸縮性によって、ペットボトルｐにフィットするように伸縮性を有する構成にしても好ましい。また、カバーリングヤーン等の弾性糸を使用しても好ましい。
【００２０】
靴下を製造する工程と同一の工程で収納具１０を製作する場合は、丸編み機を用いて編成することができる。収納具１０は開口端部１２および胴部１１の順に編成され、ほぼ筒状に構成される。開口端部１２および胴部１１は上述のとおり伸縮性を与える編成がされ、さらに該胴部１１の下端部１１ａを、いわゆる先かがりにより閉塞部１４とすることにより当該下端部１１ａを閉塞することができる。一般的には、開口端部１２および胴部１１がほぼ筒状に構成される工程と、該胴部１１の下端部１１ａをいわゆる先かがりすることにより当該下端部１１ａを閉塞する工程は別工程で行われている。すなわち、本考案に係る収納具を丸編み機を用いて開口端部１２および胴部１１の編み立て行う。その場合、当該胴部１１の下端部１１ａが開いており、編み立て後に下端部１１ａを縫合して閉塞するが、その一の手段として、先かがりがあり、これは、開口端部１２および胴部１１を編み立てた後にそれらを一端裏返し、本来収納具の表側になる部分を内側にして該下端部１１ａを縫着して閉塞部１４を形成する。その後、表側になる部分が外になるように表返しを行い、収納具１０が完成する。尚、下端部１１ａが閉塞できれば、先かがりに限られず、接着でも好ましい。また、ほぼ靴下と同様のものであるので、ペットボトルｐに生じた結露を吸収し、収納具１０に入れたペットボトルｐを鞄内に携帯した場合に、そのペットボトルｐに生じた結露を吸収することができるので、結露がこぼれて鞄内をぬらすことを防ぐことができる。また、ペットボトルｐに生じた結露を吸収することができ、使用者の持ち手が濡れるといった不快感を解消することができる。さらに、汚れたら洗濯し当該収納具１０を清潔に保つことができるのは云うまでもない。
【００２１】
また、胴部１１あるいは開口端部１２に模様２０を入れることもできる。靴下と同様の工程で作成することができるからである。また文字、図形などを入れることができることは云うまでもない。なお、この模様２０を入れる工程は、丸編み機を使用すれば収納具１０を製作する工程で同時に編成することができることはすでに周知であるために説明を省略する。
【００２２】
本実施例に使用したペットボトルは５００ミリリットルであるが、ペットボトルの大きさによって、収納具１１の大きさを適宜変更できることは云うまでもない。また、ペットボトルに限らず、スチール缶あるいはアルミ缶等の蓋つき容器、または瓶類を飲用容器として収納具に収納しても好ましい。
【図面の簡単な説明】
【００２３】
【図１】Ａは、本考案の飲用容器を入れていない状態の収納具の正面図。ＢはＡにおけるＡ−Ａ線断面図。Ｃは、飲用容器を入れていない状態の収納具の平面図。Ｄは、飲用容器を入れていない状態の収納具の底面図。
【図２】Ａは、飲用容器を入れた状態の収納具の正面図。Ｂは、飲用容器を入れた状態の収納具の底面図。
【符号の説明】
【００２４】
１０、収納具
１１、胴部
１２、開口端部
１３、開口部
１４、閉塞部
ｐ、  飲用容器
【図１】
0003183491.tif 000003
【図２】
0003183491.tif 000004
【手続補正書】
【提出日】平成25年3月13日(2013.3.13)
【手続補正１】
【補正対象書類名】実用新案登録請求の範囲
【補正対象項目名】全文
【補正方法】変更
【補正の内容】
【実用新案登録請求の範囲】
【請求項１】
ペットボトル類の飲用容器を収納する収納具であって、前記収納具は、胴部と胴部の上部に開口端部を有し前記胴部の下部が閉塞され、当該収納具は袋状を呈し、かつ、前記開口端部および胴部が収縮性を有し、飲用容器を前記収納具に収納したときに当該収納具はその引用容器の外形に倣うことを特徴とする収納具。
【請求項２】
収納具における開口端部および胴部が、布類あるいは編みもので構成されていることを特徴と請求項１記載の収納具。
【請求項３】
胴部の下部を先がかりすることによって形成される閉塞部によって閉塞されていることを特徴とする請求項１または２記載の収納具。
【請求項４】
開口端部をリブ編みとし、胴部よりも収縮力を大にしたことを特徴とする請求項１〜３のいずれか１項に記載の収納具。